(57)【要約】      （修正有）【課題】腹部を押さえ込むガードル機能を有する。上部骨盤と下部骨盤を有効的に緊締することにより、腰痛、肩こり、内臓機能低下等の症状の治療と予防に効果を発揮する。違和感なく常時着用できる補整機能と矯正機能を兼ね備えている。【解決手段】前面中央部に腹部当て布１２を設けると共に、後部中央臀裂部で縫着された左右の身生地と、マチ布１３からなるガードルであって、身生地１１と同程度もしくは身生地１１より伸縮性の強い帯状布を、腹部当て布１２の両側縁辺１２ａ，１２ｂから斜め上方に向かって後部中央縫着部に達する上部骨盤押さえ布２を縫着する。身生地１１より伸縮性の強い帯状布を、前記腹部当て布１２の略中央部を横切り斜め下方に向かって後部中央縫着部に達する下部骨盤押さえ布３を縫着する。【選択図】図１    
0003102742.tif 000002
【実用新案登録請求の範囲】
【請求項１】
前面中央部に腹部当て布を設けると共に、後部中央臀裂部で縫着された左右の身生地とマチ布からなるガードルであって、身生地と同程度もしくは身生地より伸縮性の強い帯状布を、腹部当て布の両側縁辺から斜め上方に向かって後部中央縫着部に達する上部骨盤押さえ布を縫着すると共に、身生地より伸縮性の強い帯状布を、前記腹部当て布の略中央部を横切り斜め下方に向かって後部中央縫着部に達する下部骨盤押さえ布を縫着したことを特徴とする骨盤矯正サポートガードル。
【請求項２】
下部骨盤押さえ布は、上部骨盤押さえ布より幅広の帯状布で、ガードルの内周面を周回して縫着されている骨盤矯正サポートガードル。
【考案の詳細な説明】
【技術分野】
【０００１】
本考案は、骨盤を矯正する機能を持つガードルに関するもので、さらに詳しくは、着用することにより骨盤を固定して骨盤の歪みやズレなどを矯正し、着用感の良い骨盤矯正サポートガードルに関するものである。
【背景技術】
【０００２】
体の中心部にある骨盤は、全身の動きの要であるばかりでなく、臓器を保護していて健康を維持する上で重要な役割を担っているのは良く知られているところである。その骨盤２０は、図６に示すように、第５腰椎２１、仙骨２２、尾骨２３、左右の寛骨２４，２４から形成されている。寛骨２４はさらに腸骨２５、恥骨２６、坐骨２７に分かれそれぞれ対になっている、寛骨２４以外の三つの骨は関節と椎間軟骨とで連結されて脊柱の一部をなし、仙骨２２と寛骨２４との間は仙腸関節で、左右の寛骨２４，２４の間は恥骨結合２８で結ばれているが、これらの他になお各隣接する骨の間に靭帯が張っていて結合している。
【０００３】
前記の各骨で形成された骨盤２０は、年齢と共に骨盤周囲の筋力の低下、長時間の無理な姿勢、重量物の取り扱い時、出産などの起因により仙腸関節部がズレたり開いたりして、そのまま固まってしまうと骨盤の歪み、ズレを生じ種々の健康に悪影響を及ぼすことがある。例えば、腰痛、ぎっくり腰、椎間板ヘルニア、坐骨神経痛、頭痛、肩こり、内臓機能低下など発症することがあった。
【０００４】
これらの症状の対処療法として、１本の伸縮性素材からなるベルトの両端部に係止具を設けて取り外し自在にでき、ベルトを引っ張った状態で腰部に巻きつけ係止具を係止して骨盤を圧迫して使用する骨盤安定用ベルト。（例えば、特許文献１〜３）あるいは複数本の伸縮性素材からなるベルトを引っ張った状態で腰部に巻きつけ骨盤を締め付ける骨盤安定用ベルト。（例えば、特許文献４〜６）
また、最近ではガードルにベルトを一体的に装着したもの等がある。（例えば特許文献７、８）
【特許文献１】登録実用新案第３０２３５０４号公報
【特許文献２】登録実用新案第３０２４７９５号公報
【特許文献３】登録実用新案第３０４６８０３号公報
【特許文献４】登録実用新案第３０３７０２４号公報
【特許文献５】登録実用新案第３０４０９２２号公報
【特許文献６】登録実用新案第３０７８９４３号公報
【特許文献７】特開平６−１７３１０１号公報
【特許文献８】登録実用新案第３０７６９１０号公報
【考案の開示】
【考案が解決しようとする課題】
【０００５】
しかしながら、前者の骨盤安定用ベルトは、ベルトを巻きつけたままでは歩行するのに不自由で、日常生活を行うのに非常に不便を来たした。しかも、ベルトの位置が不安定で歩行したり屈伸運動をすると、すぐに位置がズレたりすることから、日常的に連続して使用するのは困難であった。
【０００６】
また、後者のベルト付きガードルは、ベルトの先端部はガードルに縫着されず遊離しており、その先端部にフック・ホックを取り付けてあり、着脱時や用を足す時にフック・ホックを係脱しなければならず、非常に面倒で手間を要するといった問題点があった。
【０００７】
本考案は、上記の問題点を解決することを課題として開発されたもので、腹部を押さえ込むガードル機能を有し、かつ上部骨盤と下部骨盤を有効的に緊締することにより、腰痛、肩こり、内臓機能低下等の症状の治療と予防に効果を発揮し、違和感なく常時着用できる補整機能と矯正機能を兼ね備えた骨盤矯正サポートガードルを提供することを目的とするものである。
【課題を解決するための手段】
【０００８】
上記の課題を解決し、その目的を達成する手段として、本考案は、前面中央部に腹部当て布を設けると共に、後部中央臀裂部で縫着された左右の身生地と、マチ布からなるガードルであって、身生地と同程度もしくは身生地より伸縮性の強い帯状布を、腹部当て布の両側縁辺から斜め上方に向かって後部中央縫着部に達する上部骨盤押さえ布を縫着すると共に、身生地より伸縮性の強い帯状布を、前記腹部当て布の略中央部を横切り斜め下方に向かって後部中央縫着部に達する下部骨盤押さえ布を縫着したことを特徴とする骨盤矯正サポートガードルを開発し、採用した。
【０００９】
また、上記のように構成した骨盤矯正サポートガードルにおいて、下部骨盤押さえ布は、上部骨盤押さえ布より幅広の帯状布で、ガードルの内周面を周回縫着されている骨盤矯正サポートガードルを開発し、採用した。
【考案の効果】
【００１０】
本考案の請求項１記載の考案は、腹部当て布の両側縁辺から斜め上方に向かって後部中央縫着部に達する上部骨盤押さえ布により、骨盤の上部の腸骨および第５腰椎、第４腰椎を引き締めることにより仙骨と腸骨との間の仙腸間接の結合部がズレたり開いたりすることがなくなり矯正および保護ができる。また、腹部当て布の略中央部を横切り斜め下方に向かって後部中央部に達する下部骨盤の下部押さえ布により骨盤の中、下部の仙骨、恥骨、坐骨、尾骨などを抱きこむように締め付けることにより、緩みがなくなり矯正および保護ができる。
【００１１】
また、骨盤を締め付けるのに重要な前部から側部を経て後部に至るまで上部骨盤押さえ布と下部骨盤押さえ布とが腹部押さえ布の部分を除く大部分で重合されているので、骨盤の全体をより包むように締め付ける効果がある。さらに、前身生地の腹部押さえ布と下部骨盤押さえ布とが重なっていて、連動することになり一段とガードル機能が向上する。
【００１２】
また、請求項２記載の考案は、上部骨盤押さえ布より下部骨盤押さえ布の幅が広く形成され周回してあると共に伸縮性を強くしてあるから、ガードルを着用した時、体にピッタリとフイットすることになり違和感のない着用感が得られる。
【考案を実施するための最良の形態】
【００１３】
以下に、本考案の実施の形態を添付図面に基づいて説明すれば、本考案の骨盤矯正サポートガードルは大別して、ガードル本体１と、そのガードル本体１の内面に縫い付けられる骨盤の上部を矯正する上部骨盤押さえ布２と、骨盤の中部から下部を矯正する下部骨盤押さえ布３とで構成されている。
【００１４】
ガードル本体１は、身生地１１と、その身生地１１の前面中央部に設けた腹部当て布１２と、マチ布１３とで形成されており、左右身生地１１ａ，１１ｂは後部中央縫着部１４で縫着されていて、縦横両方向に伸縮性を有するパワーネット生地で構成されている。
【００１５】
上部骨盤押さえ布２は、身生地１１と同程度もしくは身生地１１より伸縮性の強い所定幅のパワーネット地の帯状布であり骨盤の上部押さえ布である。すなわち、腹部当て布１２の両側縁１２ａ，１２ａの内面略中間部から徐々に斜め上方に向かって後部中央縫着部１４に達し縫い付けられていて、前身頃では左右の腸骨の下方斜めから側部にかけて締め付け、後身頃では左右の腸骨の上端部を左右方向に横切ると共に、第５腰椎、第４腰椎をも横切って締め付けるようになっている。
【００１６】
下部骨盤押さえ布３は、身生地１１より伸縮性の強い前記上部骨盤押さえ布２より幅広のパワーネット地の帯状布であり、身生地１１の腹部当て布１２の内面略中央部を横切って側面部から徐々に斜め下方に向かって後部中央縫着部１４に達し縫い付けられていて、仙骨および恥骨、坐骨、尾骨を締め付けるようになっている。
【００１７】
このように構成した本考案の実施の形態に基づいて、その使用状態を作用、効果と共に説明すると、通常のガードルと同様に着用することにより、上部骨盤押さえ布２が腸骨や第５腰椎を締め付ける位置に配置されると共に、下部骨盤押さえ布３が仙骨、恥骨、坐骨、尾骨を抱着するように締め付けることから、腰痛、坐骨神経痛、頭痛、肩こり、内臓機能低などの治療と予防になる。また、上部骨盤押さえ布２および下部骨盤押さえ布３は身体にピッタリとフイットするので体形を崩さないばかりでなく、却って体形を整える事ができる。
【００１８】
以上、本考案の主要な実施例について説明したが、本考案はこれらの実施例に限定されるものではなく、本考案の目的を達成でき、かつ考案の要旨を逸脱しない範囲内で種々設計変更が可能であり、それらも全て本考案の範囲内に包含されるものである。
【産業上の利用可能性】
【００１９】
本考案はしっかりした体型補正機能を有するガードルの場合で説明したが、あまり強い体型補正機能を具備しないソフトな緊迫力のパンティガードルの場合も利用できるものである。
【図面の簡単な説明】
【００２０】
【図１】本考案の骨盤矯正サポートガードルの正面図である。
【図２】その背面図である。
【図３】前方斜めから見た斜視図である。
【図４】後方斜めから見た斜視図である。
【図５】図２のＡ−Ａ線断面図である。
【図６】骨盤の説明図である。
【符号の説明】
【００２１】
１    ガードル本体
２    上部骨盤押さえ布
３    下部骨盤押さえ布
１１  身生地
１２  腹部当て布
１４  後部中央縫着部
【図１】
0003102742.tif 000003
【図２】
0003102742.tif 000004
【図３】
0003102742.tif 000005
【図４】
0003102742.tif 000006
【図５】
0003102742.tif 000007
【図６】
0003102742.tif 000008
【手続補正書】
【提出日】平成16年3月3日(2004.3.3)
【手続補正１】
【補正対象書類名】実用新案登録請求の範囲
【補正対象項目名】請求項２
【補正方法】変更
【補正の内容】
【請求項２】
請求項１記載の下部骨盤押さえ布は、上部骨盤押さえ布より幅広の帯状布で、ガードルの内周面を周回して縫着されている骨盤矯正サポートガードル。